(57)【要約】【課題】段差となる係止部を減らして使い勝手を良くしたビルトイン型の誘導加熱調理器を得る。【解決手段】少なくとも上部の対向する２辺に設けられた一対の係止部５を備え、キッチンの天板１に形成されたコンロ取り付け用穴２に挿入される際に、一対の係止部５によってキッチンの天板１に係止される誘導加熱調理器本体４と、コンロ取付け用穴２の内側に、キッチンの天板１の上面とほぼ同一面となるように誘導加熱調理器本体４の上側に配置されるガラストップ３とを備えたものである。【選択図】図１
2006242555.tif 000002
【特許請求の範囲】
【請求項１】
少なくとも上部の対向する２辺に設けられた一対の係止部を備え、キッチンの天板に形成されたコンロ取り付け用穴に挿入される際に、前記一対の係止部によって前記キッチンの天板に係止される誘導加熱調理器本体と、
前記コンロ取付け用穴の内側に、前記キッチンの天板の上面とほぼ同一面となるように前記誘導加熱調理器本体の上側に配置されるトッププレートと
を備えたことを特徴とする誘導加熱調理器。
【請求項２】
前記一対の係止部の一方の係止部側に配設される操作パネルと、他方の係止部側に配設される吸排気口のパネルとを備え、これらの操作パネル及び吸排気口パネルを前記キッチンの天板と前記ガラストップとの間に形成される隙間に冠着させることを特徴とする請求項１記載の誘導加熱調理器。
【請求項３】
前記誘導加熱調理器本体の内部に、前記一対の係止部間の距離を保持する距離保持部材を
備えたことを特徴とする請求項１または２記載の誘導加熱調理器。
【請求項４】
前記誘導加熱調理器本体の係止部と異なる対向する２辺側に、前記トッププレートの側部を支持する補助係止部を
備えたことを特徴とする請求項１〜３のいずれかに記載の誘導加熱調理器。
【請求項５】
前記コンロ取り付け穴の内側へほぼ水平に突出し、前記補助係止部の下側に当該補助係止部に対して間隔をもって設けられた突出リブを備え、該画突出リブは、前記トッププレートに荷重がかかって前記補助係止部が撓んだとき、当該補助係止部を係止することを特徴とする請求項４記載の誘導加熱調理器。
【請求項６】
前記トッププレートの端面と前記コンロ取り付け用穴の間に生じる隙間にシール部材を充填し、前記ガラストップの上面と前記キッチンの天板の上面とシール部材とがほぼ同一平面になるようにしたことを特徴とする請求項４または５に記載の誘導加熱調理器。
【請求項７】
前記係止部は、階段部及びそれに隣接して形成されたフランジ部から構成され、前記階段部は、前記トッププレートの対向する２辺の下面側を保持し、前記フランジ部は水平方向に前記トッププレートの上面とほぼ同一面となるように構成されていることを特徴とする請求項１〜６の何れかに記載の誘導加熱調理器。
【請求項８】
前記フランジ部は折り曲げ２重構造を持ち、誘導加熱調理器本体とは別部材とし、その端部を前記誘導加熱調理器本体に係止させたことを特徴とする請求項７記載の誘導加熱調理器。
【発明の詳細な説明】
【技術分野】
【０００１】
本発明は、誘導加熱調理器に関し、特にキッチンに埋め込んで誘導加熱調理器本体を支持するビルトイン型の誘導加熱調理器に関する。
【背景技術】
【０００２】
従来の誘導加熱調理器では、トッププレートとケースの上面に隙間が生じないように箱体状にケースを構成していた（例えば、特許文献１参照）。また、ガラストップの外側に金属製の枠部材を固着させ、この枠部材をキッチンの作業面に係止しているものもあった。このようにしてガラストップとケースとの密閉性を高めていたが、誘導加熱調理器本体を固定させるためには筐体をその周囲全体で固定しなければならなかった。
【０００３】
【特許文献１】特開平４−２２０９８６号公報（第１頁、図１）
【発明の開示】
【発明が解決しようとする課題】
【０００４】
従来の誘導加熱調理器では、誘導加熱調理器本体をキッチンに固定させるために誘導加熱調理器本体にキッチン側に突出した係止部を設けなければならず、このためガラストップ面をキッチン面と同一面とすることができなかった。
【０００５】
本発明は上記のような課題を解決するためになされたもので、段差となる係止部を減らして使い勝手を良くしたビルトイン型の誘導加熱調理器を得ることを目的とする。
【課題を解決するための手段】
【０００６】
本発明に係る誘導加熱調理器は、少なくとも上部の対向する２辺に設けられた一対の係止部を備え、キッチンの天板に形成されたコンロ取り付け用穴に挿入される際に、前記一対の係止部によって前記キッチンの天板に係止される誘導加熱調理器本体と、前記コンロ取付け用穴の内側に、前記キッチンの天板の上面とほぼ同一面となるように前記誘導加熱調理器本体の上側に配置されるトッププレートとを備えたものである。
【発明の効果】
【０００７】
本発明においては、誘導加熱調理器本体を対向する２辺に設けた一対の係止部によってキッチンの天板に係止するので、キッチンの天板に対し誘導加熱調理器本体を係止するための突出部が少なくなり、鍋等を加熱調理の前後に摺動させながら移動させる際の引っ掛かりを減少させ、使い勝手が良くなる。また、従来よりも係止部が少ないため、製作時にこじれなどの変形が生じた誘導加熱調理器本体を取り付ける場合においても、係止部への荷重のばらつきが発生しにくく、係止部とキッチンの天板との間に隙間が生じるのを防ぐことができる。
【発明を実施するための最良の形態】
【０００８】
実施の形態１．
図１は本発明の実施の形態１に係る誘導加熱調理器をキッチンに取り付けた状態を示す斜視図、図２は図１の分解斜視図、図３は図１のＡ−Ａ断面図、図４は図1 の要部の斜視図、図５は図４の要部の斜視図、図６は一部を断面で示した図４の部分拡大斜視図である。図において、キッチンの天板１にはコンロ取り付け用穴２が設けられ、このコンロ取り付け用穴２に挿入された誘導加熱調理器本体４の上部には、本発明のトッププレートを構成するガラストップ３の上面がキッチンの天板１の上面（作業面）とほぼ同一平面になるようにして固定されている。誘導加熱調理器本体４は、上方に開いた断面コの字形状をしており、上部の対向する一対の辺には外側方向に折り曲げられた係止部５が設けられている。そして、誘導加熱調理器本体４内には加熱コイル６及びラジエントヒータ７といった加熱ユニットが設けられ、またこれらの加熱コイル６及びラジエントヒータ７を動作させるための制御基板８が設けられている。
【０００９】
誘導加熱調理器本体４の外形は、キッチンの天板１に設けられたコンロ取り付け用穴２よりも小さく、一対の係止部５を含めた誘導加熱調理器本体４の上面はコンロ取り付け用穴２よりも大きくしてあり、キッチンの天板１の上側よりコンロ取り付け用穴２に挿入された誘導加熱調理器本体４は、少なくとも一対の係止部５によってキッチンの天板１の前後方向に位置する上面（作業面）に支持されている。なお、一対の係止部５は、図４に示すように、コンロ取り付け用穴２の前後方向に設けるだけでなく、図７に示すように、左右方向に設けてキッチンの天板１に支持するようにしても良い。
【００１０】
誘導加熱調理器本体４をキッチンの天板１の上面に係止する一対の係止部５の上部には、係止部５が隠れるように操作パネル９と吸排気口パネル１０が設けられ、デザイン性を損なうことがないようにしてある。そして、吸排気口パネル１０には吸排気口１１が設けられ、さらに吸排気口１１にはここに大きな異物等が入り込むのを防ぐための吸排気口カバー１２が設けられている。
【００１１】
そして、ガラストップ３の前後の辺側は、図８に示すように、操作パネル９及び吸排気口パネル１０に釣支されて固着され、左右の辺側は図６に示すように、両端を操作パネル９及び吸排気口パネル１０に固定した補助係止部１８にゴムシール部材１９を介して支持されている。キッチンの天板１の裏面には、図６に示すように、突出リブ１７がコンロ取り付け用穴２の内側方向に突出するようにして固着され、突出リブ１７の上部に補助係止部１８が位置するようにして、突出リブ１７と補助係止部１８との間に距離ｂの隙間Ｇが形成されるようにしてある。
【００１２】
操作パネル９の内側には操作基板（図示せず）が設けられ、操作基板と制御基板８とは信号線によって電気的に接続されている。誘導加熱調理器本体４の内部には、制御基板８を冷却するためのファン１５が設けられている。なお、誘導加熱調理器本体４内部の前後方向には、図５に示す一対の板状の距離保持部材１６が設けられ、一対の係止部５間の距離を一定に保ち、係止部５が内側に入り込んで誘導加熱調理器本体４がキッチンの天板１から外れるのを防止するようにしてある。この場合、図９に示すように、加熱コイル６及びラジエントヒータ７と接触しないようにして、例えばＹ字状の距離保持部材１６ａを誘導加熱調理器本体４の内部に設けるようにしてもよい。また、ガラストップ３自体を距離保持部材として用いるようにしてもよい。
【００１３】
次に、動作について説明する。誘導加熱調理器本体４に大きな荷重がかかると、誘導加熱調理器本体４は上方に開いた断面コの字形状をしているため、底面が下側に凸形状となると共に、係止部５が設けられた側面部には内側に入り込もうとする力が生じる。このとき、誘導加熱調理器本体４には図５に示す一対の距離保持部材１６が設けられているので、これによって一対の係止部５間の距離が一定に保持され、係止部５が内側に入り込んでキッチンの天板１から外れるのを防止する。
【００１４】
また、ガラストップ３に自重以上の大きな荷重がかかると、ガラストップ３は、前後の辺が操作パネル９および吸排気口パネル１０に釣支されて固着されており、左右の辺（側部）がゴムシール部材１９を介して補助係止部１８に支持されているので、補助係止部１８に荷重が伝わり、補助係止部１８は図８の点線で示す形状に弾性変形する。こうして予め設けてあった距離ｂの隙間Ｇがなくなるため、コンロ取り付け用穴２に突設させた突出リブ１７によって補助係止部１８の荷重を受けることになり、このためガラストップ３の４辺すべてにおいてガラストップ３を支持することになる。これにより、自重以上の大きな荷重がかかった際にもガラストップ３の変形量は微小で済み、ガラスの変形による破損を防ぐことができる。
【００１５】
ガラストップ３の端辺は研磨されており、キッチンの天板１は、図６に示すように、下方へ向かって板金端部１ａが曲げられているため、これらの間に位置して隙間Ｇを埋めるゴムシール部材１９はガラストップ３の表面より上方に突出することはなく、ガラストップ３の表面とキッチンの天板１の上面はゴムシール部材１９を含めてほぼ同一平面状に保持される。
【００１６】
実施の形態２．
図１０は本発明の実施の形態２に係る誘導加熱調理器の部分拡大斜視図、図１１は図１０の縦断面図である。なお、図６と同一部分には同じ符号を付し、説明を省略する。図において、誘導加熱調理器本体４の左右の辺の上端部にそれぞれ外側に折り曲げられたフランジ部２３が誘導加熱調理器本体４と一体に設けられ、その折り曲げ部分にガラストップ３の端部を支持する階段部２１が形成されている。このとき、ガラストップ３の上面とフランジ部２３の上面がほぼ同一平面となるように階段部２１の段差を構成する。この階段部２１及びフランジ部２３は本発明の係止部を構成している。階段部２１の垂直面とガラストップ３の端面との間の隙間には成型シール材２２が設けられており、ガラストップ３と階段部２１との隙間から誘導加熱調理器本体４内部へ水等の液体が浸入することを防止している。なお、この成型シール材２２には、室温硬化型や加熱硬化型、あるいは紫外線硬化型などのような、物理作用、経時変化等により硬化する硬化性ゴム材を用いることができる。
【００１７】
なお、フランジ部２３の左右方向の幅は、誘導加熱調理器本体４の底面部とキッチンの天板１に設けられたコンロ取り付け用穴２との間の隙間の距離の１／２よりも大きいものとし、コンロ取り付け用穴２に挿入した誘導加熱調理器本体４がフランジ部２３によりキッチンの天板１に係止されるようにしてある。フランジ部２３の下面側には平面状のゴムシール部材１９が設けられており、キッチンの天板１に設けたコンロ取り付け用穴２からキッチン内部に水等の液体が浸入しないようになっている。
【００１８】
実施の形態３．
図１２は本発明の実施の形態３に係る誘導加熱調理器の部分拡大斜視図である。なお、図１０と同一部分には同じ符号を付し、説明を省略する。図において、誘導加熱調理器本体４の左右の辺の上端部にそれぞれ外側に折り曲げられたフランジ部２３が誘導加熱調理器本体４と一体に設けられ、フランジ部２３の内側には、フランジ部２３の表面に対してガラストップ３の厚さに相当する段差を備えた階段部２１が、誘導加熱調理器本体４とは別の部材によって形成されて取り付けられている。なお、フランジ部２３は内側に折り返されて再び誘導加熱調理器本体４に係止されている。こうするとフランジ部２３は強度を増すことができるため、フランジ部２３の一部に局所的な力がかかったとしても変形することがなく、運搬、設置することができる。
なお、折り曲げた２重構造のフランジ部２３は、例えば図１３、図１４に示すように、一方のフランジ部に対して角度を持たせて折り曲げるようにして、弾性を付与するようにしても良い。
【図面の簡単な説明】
【００１９】
【図１】本発明の実施の形態１に係る誘導加熱調理器をキッチンに取付けた状態を示す斜視図である。
【図２】図１の分解斜視図である。
【図３】図１のＡ−Ａ断面図である。
【図４】図１の要部の斜視図である。
【図５】図４の要部の斜視図である。
【図６】一部を断面で示した図４の部分拡大斜視図である。
【図７】図４の他の形態を示す斜視図である。
【図８】図３の要部の説明図である。
【図９】図５の他の形態を示す斜視図である。
【図１０】本発明の実施の形態２に係る誘導加熱調理器の部分拡大斜視図である。
【図１１】図１０の縦断面図である。
【図１２】本発明の実施の形態３に係る誘導加熱調理器の部分拡大斜視図である。
【図１３】図１２の他の形態を示す斜視図である。
【図１４】図１３の縦断面図である。
【符号の説明】
【００２０】
１  キッチンの天板、２  コンロ取り付け用穴、３  ガラストップ、４  誘導加熱調理器本体、５  係止部、９  操作パネル、１０  吸排気口パネル、１６，１６ａ  距離保持部材、１７  突出リブ、１８  補助係止部、１９  ゴムシール部材、２２  成型シール部材、２３  フランジ部。
【図１】
2006242555.tif 000003
【図２】
2006242555.tif 000004
【図３】
2006242555.tif 000005
【図４】
2006242555.tif 000006
【図５】
2006242555.tif 000007
【図６】
2006242555.tif 000008
【図７】
2006242555.tif 000009
【図８】
2006242555.tif 000010
【図９】
2006242555.tif 000011
【図１０】
2006242555.tif 000012
【図１１】
2006242555.tif 000013
【図１２】
2006242555.tif 000014
【図１３】
2006242555.tif 000015
【図１４】
2006242555.tif 000016